(57)【要約】【課題】より適切に用紙に画像を形成することができる画像形成装置を提供する。【解決手段】複合機１１は、ハードディスク１７と、補正値導出部４７と、抽出部４８とを備える。ハードディスク１７は、幅情報取得部３９により検知された用紙の幅に基づく用紙幅条件、端部温度検知部２９により検知された端部の温度と予め定められた目標温度との差分に対応する温度条件、および第一デューティー比に基づいて導出される、第二ヒーターに供給する電力のデューティー比である第二デューティー比のデータを複数記憶する。補正値導出部４７は、環境条件検知部４１により検知された環境条件に基づいて温度条件の補正値を導出する。抽出部４８は、補正値導出部４７により導出された温度条件の補正値を反映させて、ハードディスク１７に記憶された第二デューティー比のデータの中から第二デューティー比のデータを抽出する。【選択図】図１
2019105790.tif 000002
【特許請求の範囲】
【請求項１】
用紙に画像を形成する画像形成装置であって、
用紙上にトナー像を形成する現像部と、
前記用紙の幅の情報を取得する幅情報取得部と、
前記用紙への画像形成時の環境条件を検知する環境条件検知部と、
円筒状であって、前記現像部によりトナー像が形成された前記用紙と接触して前記トナー像を前記用紙に定着させる熱ローラーと、
前記熱ローラーの長手方向の端部の温度を検知する端部温度検知部と、
前記熱ローラーの内部に設けられ、前記熱ローラーの長手方向の中央部を加熱する第一ヒーターと、
前記熱ローラーの内部に設けられ、前記熱ローラーの長手方向の端部を加熱する第二ヒーターと、
前記第一ヒーターに供給する電力のデューティー比である第一デューティー比で第一ヒーターに供給する電力を制御する第一制御部と、
前記幅情報取得部により検知された前記用紙の幅に基づく用紙幅条件、前記端部温度検知部により検知された前記端部の温度と予め定められた目標温度との差分に対応する温度条件、および前記第一デューティー比に基づいて導出される、前記第二ヒーターに供給する電力のデューティー比である第二デューティー比のデータを複数記憶する記憶部と、
前記環境条件検知部により検知された前記環境条件に基づいて前記温度条件の補正値を導出する補正値導出部と、
前記補正値導出部により導出された前記温度条件の補正値を反映させて、前記記憶部に記憶された前記第二デューティー比のデータの中から前記第二デューティー比のデータを抽出する抽出部と、
前記抽出部により抽出された前記第二デューティー比のデータで前記第二ヒーターに供給する電力を制御する第二制御部とを備える、画像形成装置。
【請求項２】
前記環境条件検知部は、画像形成時の前記用紙の搬送速度、前記用紙のサイズ、前記用紙の重さ、前記画像形成装置の設置された温度、および前記用紙が二次給紙開始移行か否かの情報のうちの少なくともいずれか一つを前記環境条件として検知する、請求項１に記載の画像形成装置。
【請求項３】
前記記憶部には、所定の前記環境条件に対応した前記温度条件の補正値が複数記憶されており、
前記補正値導出部は、前記記憶部に記憶されている複数の前記温度条件の補正値の中から導出する、請求項１または請求項２に記載の画像形成装置。
【請求項４】
前記記憶部は、前記第二デューティー比のデータをテーブル形式で記憶する、請求項１〜請求項３のいずれか１項に記載の画像形成装置。
【請求項５】
前記第二ヒーターは、前記熱ローラーの長手方向の両端部を加熱する、請求項１〜請求項４のいずれか１項に記載の画像形成装置。
【発明の詳細な説明】
【技術分野】
【０００１】
この発明は、画像形成装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、画像形成装置に含まれ、用紙にトナーを定着させる定着装置に関する技術が、特開２０１５−１９７６７０号公報（特許文献１）、および特開２０１７−１１１２５３号公報（特許文献２）に開示されている。
【０００４】
特許文献１に開示の定着装置は、用紙に画像を定着させるローラーと、前記ローラーの内部に設けられ、当該ローラーの長手方向において供給熱量の分布が異なるように構成された複数のヒーターと、前記ローラーの温度を検知する温度検知部と、前記温度検知部により検知された検知結果に基づいて交流電源の半波周期のパターンにより前記ヒーターの点灯制御を行う制御部と、を備える。前記制御部は、前記温度検知部により前記ローラーの長手方向における端部の温度が設定された目標温度よりも低いと検知された場合、前記複数のヒーターのうち端部における供給熱量が最も多いヒーターを全点灯制御すると共に、前記複数のヒーターのうちの端部における供給熱量が次に多いヒーターを所定のデューティー比のパターンにより点灯制御するか、又は、前記複数のヒーターのうち端部における供給熱量が最も多いヒーターを所定のデューティー比のパターンにより点灯制御すると共に、前記複数のヒーターのうち端部における供給熱量が次に多いヒーターをオフにするように点灯制御することを特徴としている。
【０００５】
特許文献２に開示の画像形成装置は、用紙上のトナー像を加熱して定着させる定着ローラーと、前記定着ローラーを加熱するために設けられていて、前記定着ローラーの軸方向の一端部の発熱量が他端部より大きな第１ヒーターと、前記他端部の発熱量が前記一端部より大きな第２ヒーターと、前記定着ローラーの温度を検出する温度センサーと、前記温度センサーが検出した温度が目標温度となるように前記第１ヒーターおよび前記第２ヒーターの点灯比率を決定して、当該点灯比率により前記第１ヒーターおよび前記第２ヒーターの点灯、消灯を制御するとともに、前記第１ヒーターの点灯および／または前記第２ヒーターの点灯、前記第１ヒーターおよび前記第２ヒーターの両方の消灯によって生じる前記定着ローラーの軸方向の温度傾き値を求め、前記温度傾き値を小さくさせる方のヒーターを優先的に点灯させる制御部と、を有する。
【先行技術文献】
【特許文献】
【０００６】
【特許文献１】特開２０１５−１９７６７０号公報
【特許文献２】特開２０１７−１１１２５３号公報
【発明の概要】
【発明が解決しようとする課題】
【０００７】
特許文献１によると、検知した温度が目標温度よりも低かった場合に対応できるのみであり、それ以外の場合に対応することはできない。また、特許文献２によると、温度傾き値の計算処理の負担が大きくなり、かつ、急激な温度傾き値の変化に追従できない場合がある。
【０００８】
この発明の目的は、より適切に用紙に画像を形成することができる画像形成装置を提供することである。
【課題を解決するための手段】
【０００９】
この発明に係る画像形成装置は、用紙に画像を形成する画像形成装置である。画像形成装置は、現像部と、幅情報取得部と、環境条件検知部と、熱ローラーと、端部温度検知部と、第一ヒーターと、第二ヒーターと、第一制御部と、記憶部と、補正値導出部と、抽出部と、第二制御部とを備える。現像部は、用紙上にトナー像を形成する。幅情報取得部は、用紙の幅の情報を取得する。環境条件検知部は、用紙への画像形成時の環境条件を検知する。熱ローラーは、円筒状であって、現像部によりトナー像が形成された用紙と接触してトナー像を用紙に定着させる。端部温度検知部は、熱ローラーの長手方向の端部の温度を検知する。第一ヒーターは、熱ローラーの内部に設けられ、熱ローラーの長手方向の中央部を加熱する。第二ヒーターは、熱ローラーの内部に設けられ、熱ローラーの長手方向の端部を加熱する。第一制御部は、第一ヒーターに供給する電力のデューティー比である第一デューティー比で第一ヒーターに供給する電力を制御する。記憶部は、幅情報取得部により検知された用紙の幅に基づく用紙幅条件、端部温度検知部により検知された端部の温度と予め定められた目標温度との差分に対応する温度条件、および第一デューティー比に基づいて導出される、第二ヒーターに供給する電力のデューティー比である第二デューティー比のデータを複数記憶する。補正値導出部は、環境条件検知部により検知された環境条件に基づいて温度条件の補正値を導出する。抽出部は、補正値導出部により導出された温度条件の補正値を反映させて、記憶部に記憶された第二デューティー比のデータの中から第二デューティー比のデータを抽出する。第二制御部は、抽出部により抽出された第二デューティー比のデータで第二ヒーターに供給する電力を制御する。
【発明の効果】
【００１０】
このような画像形成装置によると、より適切に用紙に画像を形成することができる。
【図面の簡単な説明】
【００１１】
【図１】この発明の一実施形態に係る画像形成装置を複合機に適用した場合の複合機の構成を示すブロック図である。
【図２】定着装置の一部の構成を概略的に示す図である。
【図３】第一ヒーターに供給される電圧を示すグラフである。
【図４】図１に示す複合機において、用紙に画像を形成する場合の処理の流れを示すフローチャートである。
【図５】補正前のテーブルの一部を示す概念図である。
【図６】温度条件の各値に補正値を足し合わせた補正後のテーブルの一部を示す概念図である。
【発明を実施するための形態】
【００１２】
以下、この発明の実施の形態を説明する。なお、以下の図面において同一または相当する部分には同一の参照番号を付しその説明は繰返さない。
【００１３】
図１は、この発明の一実施形態に係る画像形成装置を複合機に適用した場合の複合機の構成を示すブロック図である。図１を参照して、複合機１１は、画像処理に関し、コピー機能、プリンター機能、ファクシミリ機能等、複数の機能を有する。
【００１４】
複合機１１は、制御部１２と、操作部１３と、画像読み取り部１４と、画像形成部１５と、給紙カセット１６と、記憶部としてのハードディスク１７と、ネットワーク２３と接続するためのネットワークインターフェース部１８とを備える。制御部１２は、一時的にデータを記憶する主記憶メモリ１９を含み、プロセッサー、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）等から構成される。主記憶メモリ１９は、記憶部としても機能する。プロセッサーは、ＣＰＵ（Ｃｅｎｔｒａｌ  Ｐｒｏｃｅｓｓｉｎｇ  Ｕｎｉｔ）、ＡＳＩＣ、ＭＣＵ等である。制御部１２は、上記のＲＯＭまたは主記憶メモリ１９に記憶された制御プログラムが上記のプロセッサーで実行されることにより、後述する第一制御部３６等として機能し、複合機１１全体の制御を行う。なお、制御部１２の上記の各構成要素は、前述の制御プログラムに基づく動作によらず、それぞれハード回路により構成されていてもよい。
【００１５】
操作部１３は、画像形成の部数、すなわち、印刷部数や用紙のサイズ、用紙の種類、用紙の搬送速度、画像形成の開始の命令、階調等の画像形成の条件といった画像形成に関するユーザーからの入力を受け付ける。操作部１３は、複合機１１側から発信される情報やユーザーの入力内容を表示する表示部としての表示画面２１を含む。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または原稿を載置する載置台上にセットされた原稿の画像を読み取る。給紙カセット１６は、複数枚の用紙をその内部に収納することができる。画像形成部１５は、搬送されてきた用紙上にトナー像を形成する現像部２４と、現像部２４によりトナー像が形成された用紙にトナー像を定着させる定着装置２５とを含む。画像形成部１５は、画像読み取り部１４により読み取られた原稿の画像データやネットワーク２３を介して送信された画像データを基に、給紙カセット１６から搬送されてきた用紙に画像を形成して印刷する。ハードディスク１７は、ネットワーク２３を介して受信した画像データや入力された画像形成条件等、画像形成に関するデータを記憶する。
【００１６】
次に、定着装置２５の構成について簡単に説明する。図２は、定着装置２５の一部の構成を概略的に示す図である。なお、理解の容易の観点から、図２において、熱ローラー２６の外形形状は、破線で図示している。併せて図２を参照して、定着装置２５は、熱ローラー２６と、圧ローラー２７と、第一ヒーター２８ａと、第二ヒーター２８ｂと、端部温度検知部２９とを備える。熱ローラー２６は、中空の円筒状であって、回転可能に設けられている。圧ローラー２７は、中実の円柱状であって、回転可能に設けられている。熱ローラー２６と圧ローラー２７とはそれぞれ接触して設けられており、熱ローラー２６と圧ローラー２７との間に、トナー像が未定着の用紙が搬送される。そして、回転する熱ローラー２６および圧ローラー２７の加熱および加圧によりトナー像が用紙に定着される。
【００１７】
熱ローラー２６の内部には、第一ヒーター２８ａおよび第二ヒーター２８ｂが配置される。第一ヒーター２８ａは、いわゆる棒状であり、長手方向の中央部３１に抵抗体等から構成される加熱部３２が設けられている。第一ヒーター２８ａは、この加熱部３２により、熱ローラー２６の長手方向の中央部３１を内側から加熱するよう設けられている。第二ヒーター２８ｂについてもいわゆる棒状であり、熱ローラー２６内に配置された際に熱ローラー２６の長手方向の端部、具体的には両端部３３ａ、３３ｂに抵抗体等から構成される加熱部３４ａ、３４ｂが設けられている。第二ヒーター２８ｂは、この加熱部３４ａ、３４ｂにより、熱ローラー２６の長手方向の両端部３３ａ、３３ｂを内側から加熱するよう設けられている。なお、第二ヒーター２８ｂは、熱ローラー２６の長手方向の両端部３３ａ、３３ｂを加熱する、端部温度検知部２９は、熱ローラー２６の長手方向の端部、この場合、長手方向の一方側の端部３３ａの温度を検知する。端部温度検知部２９としては、例えば、サーミスタ等が用いられる。
【００１８】
また、複合機１１に備えられる制御部１２は、第一制御部３６と、第二制御部３７とを備える。第一制御部３６は、第一ヒーター２８ａに供給する電力のデューティー比である第一デューティー比で第一ヒーター２８ａに供給する電力を制御する。第二制御部３７は、後述する抽出部４８により抽出された第二デューティー比のデータで第二ヒーター２８ｂに供給する電力を制御する。
【００１９】
ここで、デューティー比について簡単に説明すると、以下の通りである。図３は、第一ヒーター２８ａに供給される電圧を示すグラフである。図３を参照して、線３８に示す信号によって表される第一ヒーター２８ａに供給する電圧は、オン状態とオフ状態とを繰り返している。ここで、一つのオン状態および一つのオフ状態の組み合わせのうち、全体に対するオン状態に要する時間の割合をデューティー比としている。すなわち、図３に示す場合、一組のオン状態とオフ状態との総和の時間を時間Ｔ１、オン状態の時間を時間Ｔ２とすると、デューティー比は、Ｔ２／Ｔ１×１００で算出される百分率で示される。例えば、デューティー比が３５（％）とすると、時間Ｔ１に対する時間Ｔ２の割合が３５％であることを意味する。このデューティー比が高くなると、電力を多く供給していることになる。
【００２０】
複合機１１は、用紙の幅の情報を取得する幅情報取得部３９を備える。幅情報取得部３９は、画像を形成する際に用いられる用紙の幅の情報を取得する。幅情報取得部３９は、例えば、操作部１３を介して入力される用紙のサイズ等に基づいて用紙の幅の情報を取得する。
【００２１】
ハードディスク１７には、幅情報取得部３９により検知された用紙の幅の情報に基づく用紙幅条件、端部温度検知部２９により検知された端部の温度と予め定められた目標温度との差分に対応する温度条件、および第一デューティー比に基づいて導出される、第二ヒーター２８ｂに供給する電力のデューティー比である第二デューティー比のデータが記憶されている。具体的には、用紙幅が２００ｍｍ、差分が０、第一デューティー比が５０である場合、用紙幅が１８５ｍｍ以上２１５ｍｍ未満という用紙幅条件であり、温度条件が−５以上５未満であるため、第一デューティー比５０に対応する第二デューティー比は３５であるといったデータが記憶されている。なお、これらのデータは、各用紙幅条件、温度条件毎にテーブル形式で記憶されている。具体的には、第一デューティー比は５刻みで分割されている。なお、温度条件の算出に用いる端部の目標温度のデータについても、ハードディスク１７に記憶されている。
【００２２】
複合機１１は、用紙への画像形成時の環境条件を検知する環境条件検知部４１を備える。環境条件検知部４１は、さらに複数の検知部等を備える。具体的には、環境条件検知部４１は、速度検知部４２と、サイズ検知部４３と、重さ検知部４４と、環境温度検知部４５と、二次給紙判断部４６とを備える。速度検知部４２は、画像形成時の用紙の搬送速度、例えば、全速であるとか半速であるといったことを検知する。サイズ検知部４３は、用紙のサイズ、具体的には、例えば、Ａ３サイズとかＡ４サイズといった用紙のサイズを検知する。重さ検知部４４は、用紙の重さ、例えば、坪量等を検知する。環境温度検知部４５は、複合機１１が設置された環境条件、具体的には、例えば、複合機１１が設置された箇所の温度を検知する。二次給紙判断部４６は、給紙される用紙が二次給紙開始移行であるか否かを判断する。
【００２３】
ハードディスク１７には、環境条件検知部４１により検知された環境条件に基づいた温度情報の補正値のデータが記憶されている。具体的には、検知された画像形成時の用紙の搬送速度、用紙のサイズ、用紙の重さ、複合機１１が設置された箇所の温度、二次給紙か否かに基づいて対応する温度条件の補正値が記憶されている。例えば、環境条件について、全速、８段階で区別された中の重い順からの重さレベル５、５段階で区別された中の真ん中のサイズであるサイズ３、複合機１１が設置された箇所の温度として常温、二次給紙開始移行である場合、温度条件の補正値は２５となる。なお、これらのデータは、重さレベルやサイズレベル毎にテーブル形式で記憶されている。
【００２４】
また、複合機１１に備えられる制御部１２は、補正値導出部４７と、抽出部４８とを備える。補正値導出部４７は、環境条件検知部４１により検知された環境条件に基づいて温度条件の補正値を導出する。抽出部４８は、補正値導出部４７により導出された温度条件の補正値を反映させて、ハードディスク１７に記憶された第二デューティー比のデータの中から第二デューティー比のデータを抽出する。これらの構成については、後述する。
【００２５】
次に、この複合機１１において、用紙に画像を形成する場合の処理の流れについて説明する。図４は、図１に示す複合機において、用紙に画像を形成する場合の処理の流れを示すフローチャートである。
【００２６】
併せて図４を参照して、複合機１１は、例えば、コピーの要求等、画像形成の要求を受け付ける（図４において、ステップＳ１１においてＹＥＳ、以下、「ステップ」を省略する）。この場合、複数枚の用紙への画像形成の要求を受け付けるとする。
【００２７】
そうすると、用紙の幅の情報等を取得する（Ｓ１２）。この場合、幅情報取得部３９は、操作部１３を介して入力された指定する用紙のサイズのデータから用紙の幅の情報を取得してもよい。また、併せて熱ローラー２６の端部３３ａの温度を端部温度検知部２９により取得する。なお、端部温度検知部２９により検知された熱ローラー２６の端部３３ａの温度は、予め定められた目標温度との差分を算出する際に利用される。さらに、第一デューティー比の情報も取得する。なお、これらの情報については、例えば、主記憶メモリ１９等に記憶しておく。
【００２８】
次に、環境条件検知部４１により環境条件を検知する（Ｓ１３）。具体的には、速度検知部４２により、用紙の搬送の速度、例えば、用紙の線速が全速であるとか半速であるといったことを検知する。この場合、操作部１３による入力により検知することにしてもよい。また、サイズ検知部４３により、用紙のサイズを検知する。また、重さ検知部４４により、用紙の重さを検知する。これらの場合も、例えば、操作部１３を介して入力された指定する用紙のサイズ、用紙の種類等から検知する。また、環境温度検知部４５により、複合機１１が設置された環境の温度を検知する。さらに、二次給紙判断部４６により、給紙される用紙が二次給紙開始移行であるか否かを判断する。
【００２９】
そして、これらの検知された環境条件から、補正値導出部４７は、温度条件の補正値を導出する（Ｓ１４）。すなわち、補正値導出部４７は、速度検知部４２により検知された用紙の速度、サイズ検知部４３により検知された用紙のサイズ、重さ検知部４４により検知された用紙の重さ、環境温度検知部４５により検知された複合機１１が設置された箇所の温度、二次給紙判断部４６により判断された、給紙された用紙が二次給紙開始移行であるか否かの判断に基づいて温度条件の補正値を導出する。この場合、ハードディスク１７に記憶されたテーブルの情報に基づいて導出する。例えば、この補正値を２５とする。
【００３０】
その後、導出された補正値で温度条件を補正する（Ｓ１５）。すなわち、温度条件の各値について、それぞれ補正値である２５を足し合わせる。
【００３１】
図５は、補正前のテーブルの一部を示す概念図である。図６は、温度条件の各値に補正値を足し合わせた補正後のテーブルの一部を示す概念図である。まず図５を参照して、補正前のテーブル５１は、例えば、１つの用紙幅条件に対して７つの温度条件５２ａ、５２ｂ、５２ｃ、５２ｄ、５２ｅ、５２ｆ、５２ｇが規定されている。そして、補正前のテーブル５１について、それぞれの温度条件５２ａ〜５２ｆのうちの一点鎖線で囲む下限値５３は、大きいものから順に１５、１０、５、−１５、−２３、−２５となっている。また、温度条件５２ｂ〜５２ｇのうちの二点鎖線で囲む上限値５４は、大きいものから順に１５、１０、５、−１５、−２３、−２５となっている。これらの下限値５３および上限値５４に対して、補正値「２５」を足し合わせる。すなわち、下限値５３および上限値５４をシフトするようにする。
【００３２】
図６を参照して、補正後のテーブル５６は、１つの用紙幅条件に対して補正値を反映させた７つの温度条件５７ａ、５７ｂ、５７ｃ、５７ｄ、５７ｅ、５７ｆ、５７ｇが規定されることとなる。温度条件５７ａ〜５７ｆのうちの一点鎖線で囲む下限値５８は、大きいものから順に４０、３５、３０、１０、２、０となっている。また、温度条件５７ｂ〜５７ｇのうちの二点鎖線で囲む上限値５９は、大きいものから順に４０、３５、３０、１０、２、０となっている。
【００３３】
抽出部４８は、補正値導出部４７により導出された温度条件の補正値を反映させて、ハードディスク１７に記憶された第二デューティー比のデータの中から第二デューティー比のデータを抽出する（Ｓ１６）。
【００３４】
そして、第二制御部３７は、抽出部４８により抽出された第二デューティー比のデータで第二ヒーター２８ｂに供給する電力を制御する（Ｓ１７）。すなわち、熱ローラー２６の両端部３３ａ、３３ｂは、第二デューティー比に基づく第二ヒーター２８ｂのオン状態、またはオフ状態に基づいて加熱される。これを画像形成が終了するまで行う（Ｓ１８）。
【００３５】
このような複合機１１によると、環境条件を考慮して熱ローラー２６の温度を制御しているため、より適切に用紙にトナー像を定着させることができる。すなわち、温度が高い場合でも低い場合でも、より適切に熱ローラー２６の温度を制御して用紙にトナー像を定着させることができる。したがって、このような複合機１１は、より適切に用紙に画像を形成することができる。
【００３６】
すなわち、以下のような弊害を防ぐことができる。具体的には、例えば、用紙の速度が全速に対して半速に設定されていると、補正値として全速の場合の「３５％」が設定されていたとすると、端部３３ａ、３３ｂの温度が上がり過ぎてしまうこととなる。逆に用紙が封筒のような厚紙であった場合、一律にデューティー比に対して厚紙の場合は１０％アップと規定すると、現状測定した温度について端部３３ａ、３３ｂの温度が高かったとしても、さらに温度を上げる制御となってしまい、不適切なデューティー比となってしまう。しかし、上記した複合機１１によれば、このような弊害を防ぐことができる。
【００３７】
この場合、環境条件検知部４１は、画像形成時の用紙の搬送速度、用紙のサイズ、用紙の重さ、複合機１１の設置された温度、および用紙が二次給紙開始移行か否かの情報を環境条件として検知するため、より厳密に環状条件に沿った第二デューティー比の制御を行うことができる。
【００３８】
また、この場合、ハードディスク１７には、所定の環境条件に対応した温度条件の補正値が複数記憶されており、補正値導出部４７は、ハードディスク１７に記憶されている複数の温度条件の補正値の中から導出するため、温度条件の補正値を導出する際に複雑な計算を行う必要がなくなり、処理負担の軽減を図ることができる。
【００３９】
なお、上記の実施の形態においては、環境条件検知部４１は、画像形成時の用紙の搬送速度、用紙のサイズ、用紙の重さ、画像形成装置の設置された温度、および用紙が二次給紙開始移行か否かの情報を環境条件として検知することとしたが、これに限らず、環境条件検知部４１は、画像形成時の用紙の搬送速度、用紙のサイズ、用紙の重さ、画像形成装置の設置された温度、および用紙が二次給紙開始移行か否かの情報のうちの少なくともいずれか一つを環境条件として検知するようにしてもよい。こうすることによっても、環状条件に沿った第二デューティー比の制御を行うことができる。
【００４０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４１】
この発明に係る画像形成装置は、より確実な用紙への画像の形成が要求される場合に、特に有効に利用される。
【符号の説明】
【００４２】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  ネットワーク、２４  現像部、２５  定着装置、２６  熱ローラー、２７  圧ローラー、２８ａ  第一ヒーター、２８ｂ  第二ヒーター、２９  端部温度検知部、３１  中央部、３２，３４ａ，３４ｂ  加熱部、３３ａ，３３ｂ  端部、３６  第一制御部、３７  第二制御部、３８  線、３９  幅情報取得部、４１  環境条件検知部、４２  速度検知部、４３  サイズ検知部、４４  重さ検知部、４５  環境温度検知部、４６  二次給紙判断部、４７  補正値導出部、４８  抽出部、５１，５６  テーブル、５２ａ，５２ｂ，５２ｃ，５２ｄ，５２ｅ，５２ｆ，５２ｇ，５７ａ，５７ｂ，５７ｃ，５７ｄ，５７ｅ，５７ｆ，５７ｇ、５３，５８  下限値、５４，５９  上限値。
【図１】
2019105790.tif 000003
【図２】
2019105790.tif 000004
【図３】
2019105790.tif 000005
【図４】
2019105790.tif 000006
【図５】
2019105790.tif 000007
【図６】
2019105790.tif 000008